(57)【要約】【課題】小形で使い勝手のよいスキャナーを提供すること。【解決手段】底部に開口を有する筐体と、筐体に収容される光源および撮像素子と、底部が原稿に接触した状態で筐体が原稿に押圧されるときその押圧動作を検出する検出部材と、押圧動作が検出されたとき光源と撮像素子を制御し開口を介して原稿の画像を撮像させる制御部を備える小型スタンプ式スキャナー。【選択図】図４
2010068317.tif 000002
【特許請求の範囲】
【請求項１】
底部に開口を有する筐体と、筐体に収容される光源および撮像素子と、底部が原稿に接触した状態で筐体が原稿に押圧されるときその押圧動作を検出する検出部材と、押圧動作が検出されたとき光源と撮像素子を制御し開口を介して原稿の画像を撮像させる制御部を備える小型スタンプ式スキャナー。
【請求項２】
撮像素子が撮像レンズ付きＣＣＤであり、光源がＬＥＤである請求項１記載の小型スタンプ式スキャナー。
【請求項３】
撮像素子はその焦点が筐体底部に接触して開口から覗く原稿に予め合わされている請求項１記載の小型スタンプ式スキャナー。
【請求項４】
筐体が前記開口を有する下部外装と、下部外装に弾性部材を介して搭載される枠体と、枠体を覆う上部外装からなる請求項１記載の小型スタンプ式スキャナー。
【請求項５】
下部外装の底部が原稿に接触した状態で上部外装に原稿の方へ押圧力が印加されるとき、上部外装が弾性部材に抗して下部外装に接近して前記検出部材を作動させ、上部外装が押圧力から開放されるとき、上部外装は元の位置へ復帰する請求項４記載の小型スタンプ式スキャナー。
【請求項６】
前記押圧力が印加されたときに、上部外装の下部外装への接近を防止する取りはずし可能な防止部材をさらに備える請求項５記載の小型スタンプ式スキャナー。
【請求項７】
撮像された画像のデータを出力する出力端子をさらに備える請求項１記載の小型スタンプ式スキャナー。
【請求項８】
撮像された画像のデータを赤外線で発信する発信部をさらに備える請求項１記載の小型スタンプ式スキャナー。
【請求項９】
表示部をさらに備え、表示部は撮像の開始、終了および画像データの発信の完了を表示する請求項８記載の小型スタンプ式スキャナー。
【請求項１０】
下部外装が透光性である請求項４記載の小型スタンプ式スキャナー。
【発明の詳細な説明】
【技術分野】
【０００１】
本発明は、画像を取り込む（撮像する）小型スタンプ式スキャナーに関する。
【背景技術】
【０００２】
デジタル複合機のように上向きに配置された画像読み取り面に原稿を裏返して置く固定型の画像読み取り装置は、原稿載置台が広いため、名刺のような小さいサイズの原稿を読み取るには、不都合である。そこで、第１の背景技術として、上向きの原稿に対して画像読み取り面を裏返して載置し、画像データを読み取る小型複写装置が知られている。この小型複写装置では、読み取り装置を、原稿に位置を合わせた後、操作ボタンを押すと、所定時間後に画像が取り込まれる（例えば、特許文献１参照）。
また、第２の背景技術として、画像読み取り時の蛇行を防止する操作性の向上と、装置の小型化、部品点数の簡素化を画る画像読み取り装置が提案されている（例えば、特許文献２参照）。
【特許文献１】特開平２−１９８２７０
【特許文献２】特開平９−３１２７３７
【発明の開示】
【発明が解決しようとする課題】
【０００３】
最近、カメラ付き携帯電話の普及に伴い、写真撮影のみならず白板（ホワイトボード）の書き込みや地図などの取り込みが容易になってきている。
しかしながら、書籍の一部の画像や  名刺のような画像を直接携帯電話のカメラから取り込むには、位置合わせ等、作業面での不便さが生じる。
【０００４】
一方、第１の背景技術に代表される小型複写装置は、原稿の所望部分を正確に読み取る点で優れているが、原稿読取部を往復運動させる２本のロッドが必要となるため、装置が大掛かりになり、また位置を合わせてからボタンを押し、画像を取り込む時間を待つ必要があり、カメラのような簡便さが無い。
【０００５】
また、第２の背景技術に代表される画像読み取り装置は、走行ローラを用いて原稿面を走行するため、広範囲な原稿読み込みに適しているが、装置全体サイズが大きくなってしまうという問題がある。
この発明はこのような事情を考慮してなされたもので、簡便で確実に画像を読み取ることができることが可能な小型スタンプ型スキャナーを提供するものである。
【課題を解決するための手段】
【０００６】
この発明は、底部に開口を有する筐体と、筐体に収容される光源および撮像素子と、底部が原稿に接触した状態で筐体が原稿に押圧されるときその押圧動作を検出する検出部材と、押圧動作が検出されたとき光源と撮像素子を制御し開口を介して原稿の画像を撮像させる制御部を備える小型スタンプ式スキャナーを提供するものである。
【発明の効果】
【０００７】
筐体を所望の原稿の上に置いて、筐体を押圧するだけで、光源と撮像素子が作動するので、簡単に、かつ確実に画像が読み取られる。
【発明を実施するための最良の形態】
【０００８】
この発明の小型スタンプ式スキャナーの特徴は、底部に開口を有する筐体と、筐体に収容される光源および撮像素子と、底部が原稿に接触した状態で筐体が原稿に押圧されるときその押圧動作を検出する検出部材と、押圧動作が検出されたとき光源と撮像素子を制御し開口を介して原稿の画像を撮像させる制御部を備える点にある。
【０００９】
撮像素子が撮像レンズ付きＣＣＤであり、光源がＬＥＤであってもよい。
撮像素子はその焦点が筐体底部に接触して開口から覗く原稿に予め合わされていることが好ましい。
筐体が前記開口を有する下部外装と、下部外装に弾性部材を介して搭載される枠体と、枠体を覆う上部外装からなっていてもよい。
【００１０】
下部外装の底部が原稿に接触した状態で上部外装に原稿の方へ押圧力が印加されるとき、上部外装が弾性部材に抗して所定距離だけ下部外装に接近して前記検出部材を作動させ、上部外装が押圧力から開放されるとき、上部外装は元の位置へ復帰するようにしてもよい。
【００１１】
前記押圧力が印加されても、上部外装の下部外装への接近を防止する取りはずし可能な防止部材をさらに備えてもよい。
撮像された画像のデータを出力する出力端子をさらに備えてもよい。
撮像された画像のデータを赤外線で発信する発信部をさらに備えてもよい。
表示部をさらに備え、表示部は撮像の開始、終了および画像データの発信の完了を表示してもよい。下部外装が透光性であってもよい。
【００１２】
以下、図面に示す実施形態を用いてこの発明を詳述する。
図１はこの発明の小型スタンプ式のスキャナー１００を示す斜視図である。
図１（ａ）は、カバー３を装着した状態の外観図を示したもので、寸法は、幅Ｗが９４ｍｍ、奥行Ｄが５９ｍｍ、高さＨが６０ｍｍである。スキャナー１００によって画像をスタンプする（読み取る）には、図１（ｂ）のようにカバー３を外す必要がある。
筐体５０は図１（ｂ）に示すように上部外装１と下部外装２から構成される。
【００１３】
上部外装１には、赤外線発信部４があり、ＵＳＢ差込口６が設けてある。スキャナー１００は、ＵＳＢ差込口６を介して市販の携帯電話用ケーブルでパソコンとつなぐことができる。また、上部外装１には、表示用発光部５が赤外線発信部４の反対側にあり、スキャナー１００の各動作により、色変化及び点灯、点滅表示する。下部外装２は、透明樹脂、例えばアクリル樹脂やＡＢＳ透明樹脂で成型され底面には開口２ａ（図４，図５）が形成されている。
【００１４】
使用時には、使用者は、スキャナー１００を図２（ａ）に示すように手に持ち、図２（ｂ）に示すように原稿Ｐの原稿画像部分７の位置に置く。
上部外装１を少し押し下げた位置で、電源が入り、表示用発光部５（図１）が、赤色に点灯し、内部の照明が行われる。この時、下部外装２は透明であるので、使用者は原稿の読み取り範囲を観察することができる。さらに上部外装１を下へ押し込むと、画像が読み込まれ、画像処理された画像データは、ＵＳＢ差込口６のケーブルから出力されるか、もしくは、赤外線発信部４より外部へ赤外線で送信される。データの送信中は表示用発光部５は緑色で点滅する。また、データ送信の完了とともに表示用発光部５は緑色の点灯に変化する。データ送信時間は約２秒である。
【００１５】
また、上部外装１の押し下げ最大ストロークは、４ｍｍである。使用者がスキャナー１００を持ち上げて原稿Ｐから外すと、上部外装１は、元の位置に戻り、読み取り動作は完了する。
後述のように、上部外装１と下部外装２は弾性部材を介して接続され、スキャナー１００を机に置いても４ｍｍ以上押さないかぎりスタンプ（読み取り）動作とならない。
また、図１（ａ）のように、カバー３をスキャナー１００に装着すると、図１（ｂ）に示す上部外装１の下部周縁１ｅとカバー３の上部周縁３ｅとが当接するので、スタンプ動作ができないようになっている。図２には原稿画像部分７としてＡＢＣの文字を表示しているが、名前、住所等に代表される文字や、写真、地図に代表される画像であってもよい。この実施形態では取り込み可能サイズは、幅Ｌ２が最大９１ｍｍ、奥行Ｌ１が最大５５ｍｍ（日本の標準的名刺サイズ）である。
【００１６】
なお、この実施形態では、汎用品となるサイズを代表として、説明するものであり、このスタンプ動作で読み取る原稿サイズが固定されるものではない。読み取る原稿は手持ちの手帳や名刺、レシートやチラシの裏紙等であってもよく、また、壁に掛けたポスターから読み取りすることも可能である。
【００１７】
次にスキャナー１００の内部の構成を説明する。
図３にスキャナー１００の上面図を示す。
図４は図３のＡ−Ａ矢視断面図、図５は図３のＢ−Ｂ矢視断面図である。これらの図に示すように、下部外装２の上に枠体８がコイルバネ１８ａ，１８ｂを介して搭載されており、さらに枠体８にプリント配線基板１７が搭載され、枠体８とコイルバネ１８ａ，１８ｂを上部外装１が覆っている。枠体８は、コイルバネ１８ａ，１８ｂによって上向きに付勢され、下部外装２の爪２１，２２が、枠体８の抜け止めのストッパーとなっている。基板１７には、上面に発信用ＬＥＤ４ｂ、表示用ＬＥＤ５ｂ、およびリチウム電池９が搭載され、下面にＣＣＤカメラ１５、照明用ＬＥＤ１４、ＵＳＢジャック６ａ、スタンプ動作スイッチ１０、およびスタンプ下限動作スイッチ１１が搭載されている。
【００１８】
上部外装１は透光性の窓４ａ，５ａを有し、窓４ａと発信用ＬＥＤ４ｂとの組合せによって赤外線発信部４が構成され、窓５ａと表示用ＬＥＤ５ｂとの組合せによって表示用発光部５が構成されている。
ＣＣＤカメラ１５はＣＣＤ素子と撮像レンズとを備え、撮像レンズのピント（焦点）は、下部外装２の下面の開口２ａから覗く原稿面に予め合わせてある。
スタンプ動作スイッチ１０およびスタンプ下限動作スイッチ１１は、いずれもホトインタラプタからなり、それぞれ下部外装２の内部に固定された作動片１０ａ，１１ａにより作動するようになっている。
【００１９】
なお、作動片１０ａ，１１ａは高さ方向の配置位置が異なり、上部外装１が下部外装２の方へ押圧されると、まず、スタンプ動作スイッチ１０が作動し、次に、スタンプ下限動作スイッチ１１が作動するように配置されている。
また、ＵＳＢジャック６ａはＵＳＢ差込口６を介して差込まれるパソコン接続用ケーブル（図示しない）を受入れ、それに後述のように画像データを供給するようになっている。
【００２０】
図６はスキャナー１００の制御系を示すブロック図である。制御部１９はリチウム電源９からの電力によって作動し、スタンプ動作スイッチ１０、スタンプ下限動作スイッチ１１からの出力を受けて、発信用ＬＥＤ４ｂ、表示用ＬＥＤ５ｂ、照明用ＬＥＤ１４およびＣＣＤカメラ１５を駆動し、画像データをＵＳＢジャック６ａを介して外部へ出力するようになっている。
なお、制御部１９は、ＣＰＵ，ＲＯＭ，ＲＡＭからなるマイクロコンピュータにより構成され、プリント配線基板１７上に搭載される。
【００２１】
このような構成における動作を図７に示すフローチャートを用いて詳述する。
スキャナー１００の、下面を図２のように原稿Ｐの上に置き、上部外装１を下へ押すことで、スタンプ（画像読み取り）動作に入る（ステップＳ０）。１ｍｍ下がったところで、スタンプ動作スイッチ１０がＯＮし、制御部１９の駆動電源が入るとともに表示用ＬＥＤ５ｂを赤色点灯させ、照明用ＬＥＤ１４を点灯する（ステップＳ１，Ｓ２）。
【００２２】
上部外装１がさらに４ｍｍだけ押し下げられて、下限位置までくると、スタンプ下限動作スイッチ１１が入り、ＣＣＤカメラ１５が画像データを取り込む（ステップＳ３）。スキャナー１００が持ち上げられるとスタンプ動作下限スイッチ１１およびスタンプ動作スイッチ１０がＯＦＦとなり、画像データはＵＳＢジャック６ａ又は発振用ＬＥＤ４ｂによって転送され、表示用ＬＥＤ５ｂは、緑色の点滅を行う（ステップＳ４）。データ転送が完了した時点で（ステップＳ６）、表示用ＬＥＤ５ｂは、緑色の点灯に切り替わり（ステップＳ７）、１０秒後、次の動作が無ければ、制御部１９の駆動電源はＯＦＦとなり、表示用ＬＥＤ５ｂは、消灯する。
なお、何らかの原因によりステップＳ６においてデータの発信ができない場合には、表示用ＬＥＤ５ｂは赤色の点滅に切り替わり、ルーチンはステップＳ８へ進む。
【図面の簡単な説明】
【００２３】
【図１】この発明のスキャナーを示す斜視図である。
【図２】この発明のスキャナーの使用状況の説明図である。
【図３】この発明のスキャナーの上面図である。
【図４】図３のＡ−Ａ矢視断面図である。
【図５】図３のＢ−Ｂ矢視断面図である。
【図６】この発明のスキャナーの制御系を示すブロック図である。
【図７】この発明のスキャナーの動作を示すフローチャートである。
【符号の説明】
【００２４】
１    上部外装
１ｅ  下部周縁
２    下部外装
２ａ  開口
３    カバー
３ｅ  上部周縁
４    赤外線発信部
４ａ  窓
４ｂ  発信用ＬＥＤ
５    表示用発光部
５ａ  窓
５ｂ  表示用ＬＥＤ
６    ＵＳＢ差込口
６ａ  ＵＳＢジャック
７    原稿画像部分
８    枠体
９    リチウム電池
１０    スタンプ動作スイッチ
１０ａ  作動片
１１    スタンプ下限動作スイッチ
１１ａ  作動片
１４    照明用ＬＥＤ
１５    ＣＣＤカメラ
１７    プリント配線基板
１８ａ  コイルバネ
１８ｂ  コイルバネ
１９    制御部
２１    爪
２２    爪
５０    筐体
Ｐ    原稿
１００    スキャナー
【図１】
2010068317.tif 000003
【図２】
2010068317.tif 000004
【図３】
2010068317.tif 000005
【図４】
2010068317.tif 000006
【図５】
2010068317.tif 000007
【図６】
2010068317.tif 000008
【図７】
2010068317.tif 000009